(57)【要約】【課題】揺動自在な滑動部を可動接片上で滑動させるスイッチ構造の低背化を実現する。【解決手段】可動接点９０が固定された可動接片８０上を揺動自在な滑動棒４０が滑動することにより、可動接片８０が軸Ｂの回りにシーソー動作を行い、可動接点９０と可動接点９０の下方にある固定接点６０とが接触または離間するスイッチ構造１において、滑動棒４０が、可動接片８０と当接する先端部４２の固定接点６０からの高さＨ１が基端部４１の固定接点６０からの高さＨ２よりも高くなる上傾斜姿勢と先端部４２の固定接点６０からの高さＨ１が基端部４１の固定接点６０からの高さＨ２よりも低くなる下傾斜姿勢とを交互に繰り返す。【選択図】図７
2018125205.tif 000002
【特許請求の範囲】
【請求項１】
可動接点が固定された可動接片上を揺動自在な滑動部が滑動することにより、前記可動接点が所定の回動軸の回りにシーソー動作を行い、前記可動接点と該可動接点の下方の固定接点とが接触または離間するスイッチ構造において、
前記滑動部が、前記可動接片と当接する先端部の前記固定接点からの高さが基端部の前記固定接点からの高さよりも高くなる上傾斜姿勢と、前記先端部の前記固定接点からの高さが前記基端部の前記固定接点からの高さよりも低くなる下傾斜姿勢とを交互に繰り返すことを特徴とするスイッチ構造。
【請求項２】
前記可動接片が、前記滑動部から前記回動軸の方向に離れた位置に前記可動接点を保持することを特徴とする請求項１に記載のスイッチ構造。
【請求項３】
前記回動軸と平行な揺動軸の回りに揺動できる揺動部を備え、
該揺動部が、切欠部を有し該切欠部内に前記先端部が突出するように、前記滑動部を支持することを特徴とする請求項１または２に記載のスイッチ構造。
【請求項４】
前記揺動部が、前記固定接点から離間した前記可動接点を収容する収容部を有することを特徴とする請求項３に記載のスイッチ構造。
【請求項５】
前記滑動部が前記上傾斜姿勢をなすことにより、前記可動接点と前記固定接点とが離間し、前記滑動部が前記下傾斜姿勢をなすことにより、前記可動接点と前記固定接点とが接触することを特徴とする請求項１〜４のいずれか１項に記載のスイッチ構造。
【請求項６】
請求項１〜５のいずれか１項に記載のスイッチ構造を備えたスイッチ。
【発明の詳細な説明】
【技術分野】
【０００１】
本発明は、可動接点が固定された可動接片の上を揺動自在な滑動部が滑動することにより、可動接点とこの可動接点の下方にある固定接点とが接触または離間するスイッチ構造およびこれを用いたスイッチに関する。
【背景技術】
【０００２】
従来から、民生機器や産業機器等には、ロッカスイッチに代表される電源スイッチが広く利用されている。電源スイッチには、可動接点が固定された可動接片上を揺動自在な滑動部が滑動することにより、可動接片が所定の回動軸の回りにシーソー動作を行い、可動接点とこの可動接片の下方の固定接点とが接触または離間するスイッチ構造を採用するものがある（特許文献１）。
【０００３】
これらの電源スイッチの中には、各種機器の操作パネルに形成された取付孔に嵌め込まれて使用されるものもある。近年では、各種機器の薄型化が進み、パネル下の空間を有効利用したいため、電源スイッチの低背化が強く要望されている。
【先行技術文献】
【特許文献】
【０００４】
【特許文献１】特開２００８−０９１０６８号公報
【発明の概要】
【発明が解決しようとする課題】
【０００５】
しかしながら、特許文献１の技術では、揺動自在な滑動部が滑動中に可動接片に対して略起立する姿勢をなすため、滑動部の全長をスイッチの高さに含めなければならず、低背化が困難である。
【０００６】
本発明の目的は、上記事情に鑑み、揺動自在な滑動部が可動接片上を滑動するスイッチ構造において、低背化を実現することである。
【課題を解決するための手段】
【０００７】
本発明のスイッチ構造は、可動接点が固定された可動接片上を揺動自在な滑動部が滑動することにより、可動接点が所定の回動軸の回りにシーソー動作を行い、可動接点と可動接点の下方の固定接点とが接触または離間するスイッチ構造において、滑動部が、可動接片と当接する先端部の固定接点からの高さが基端部の固定接点からの高さよりも高くなる上傾斜姿勢と先端部の固定接点からの高さが基端部の固定接点からの高さよりも低くなる下傾斜姿勢とを交互に繰り返すことを特徴とする。
【０００８】
ここで、本発明における「所定の回動軸」とは、可動接片の回動中心の方向に延びる軸を意味する。また、本発明における「固定接点からの高さ」とは、固定接点の可動接点との接触面に対して垂直な方向の距離を意味する。
【０００９】
また、本発明において、可動接片は、滑動部から回動軸方向に離れた位置に可動接点を保持してもよい。
【００１０】
また、本発明のスイッチは、回動軸と平行な揺動軸の回りに揺動できる揺動部を備え、揺動部が、切欠部を有し切欠部内に先端部が突出するように、滑動部を支持してもよい。
【００１１】
また、本発明において、揺動部は、固定接点から離間した可動接点を収容する収容部を有してもよい。
【００１２】
ここで、「離間した可動接点」とは、最も離間した位置にある可動接片のみを意味するものではなく、この最も離間した位置に向かっている可動接点や、最も離間した位置から接触位置へ戻っている可動接点をも含む意味である。また、上記「収容部」とは、収容する空間であればよく、たとえば揺動部に形成された孔や切欠でもよい。
【００１３】
また、本発明において、滑動部が上傾斜姿勢をなすことにより、可動接点と固定接点とが離間し、滑動部が下傾斜姿勢をなすことにより、可動接点と固定接点とが接触してもよい。
【発明の効果】
【００１４】
本発明によれば、揺動自在な滑動部が、可動接片と当接する先端部の固定接点からの高さが基端部の固定接点からの高さよりも高くなる上傾斜姿勢と先端部の固定接点からの高さが基端部の固定接点からの高さよりも低くなる下傾斜姿勢とを交互に繰り返すことにより、滑動部が滑動中に可動接片に対して起立する姿勢をなさないため、滑動部の全長をスイッチ高さに含める必要がなく、その分スイッチを低背にできる。
【００１５】
また、本発明によれば、可動接片が滑動部から回動軸方向に離れた位置に可動接点を保持する場合、滑動部が滑動する領域と可動接点が移動する領域が可動接片の回動軸の方向にオフセットしているため、両領域に重複する領域が生じ、その分スイッチをより低背にできる。
【００１６】
また、本発明によれば、回動軸と平行な揺動軸の回りに揺動できる揺動部を備えた場合であっても、揺動部は、切欠部内に先端部を突出させた状態で滑動部を支持するため、滑動部が移動する領域は、揺動部の揺動する揺動する領域内に含まれ、その分スイッチをより低背にできる。
【００１７】
また、本発明によれば、揺動部が固定接点と離間した可動接点を収容する収容部を有する場合、可動接点の移動領域の少なくとも一部が揺動部の揺動領域内となり、スイッチをより低背にできる。
【図面の簡単な説明】
【００１８】
【図１】ロッカスイッチの外観を示す斜視図
【図２】ロッカスイッチの正面図
【図３】ロッカスイッチの左側面図
【図４】ロッカスイッチの底面図
【図５】ロッカスイッチのパネル取付状態を示す図
【図６】ロッカスイッチの分解斜視図
【図７】スイッチ構造の開閉動作を示す断面図
【発明を実施するための形態】
【００１９】
本発明の実施形態について図面を用いて詳細に説明する。図１は本発明の一実施形態であるスイッチ構造１を有するロッカスイッチ２の斜視図、図２はロッカスイッチ２の正面図、図３はロッカスイッチ２の左側面図、図４はロッカスイッチ２の底面図、図５はロッカスイッチのパネル取付状態を示す図、図６はロッカスイッチ２の分解斜視図をそれぞれ示す。
【００２０】
ロッカスイッチ２は、ハウジング１０、ハウジング１０に揺動自在に支持される転換子２０、転換子２０に挿入保持されるバネ３０、バネ３０により付勢される滑動棒４０、ハウジング１０に保持される接触端子５０、接触端子５０に固定される固定接点６０、ハウジング１０に保持される共通端子７０、共通端子７０に係止された可動接片８０、可動接片８０に固定される可動接点９０、転換子２０に固定されたボタン１００とから構成される。
【００２１】
スイッチ構造１は、転換子２０、バネ３０、滑動棒４０、固定接点６０、可動接片８０および可動接点９０から構成される。
【００２２】
最初にハウジング１０について説明する。ハウジング１０は略直方体の形状を有する。また、ハウジング１０の開口面１０Ａには矩形状の開口部１１が形成されている。ハウジング１０の長尺方向の側面１０Ｂには、開口部１１と連通する挿入孔１０Ｃが軸Ｂ上に形成されている。また、開口部１１の底１１Ａには、開口１１Ｂに向かって壁１１Ｃが立設されている。
【００２３】
ハウジング１０は開口面１０Ａ側にフランジ部１２を有している。また、ハウジング１０は、短尺方向の側面１０Ｄにパネル係止部１３をそれぞれ有している。また、ロッカスイッチ２は、被取付対象であるパネル（不図示）の取付孔に、フランジ部１２を当接するまで嵌め込み、パネル係止部１３が取付孔の側周面を押圧することにより、取り付けられる。
【００２４】
また、パネル係止部１３は、ハウジング１０の底面１０Ｅ側に固定端と、開口面１０Ａ側に自由端とを有する４つの係止片１３Ａから構成される。そして、係止片１３Ａは、側面１０Ｄから離れるように、延びている。したがって、係止片１３Ａは、自由端を側面１０Ｄへ近付けるように撓ませると、元の姿勢に戻ろうとする復帰力を生じさせる。なお、図５は、理解を容易にするため、接触端子５０および共通端子７０の図示は省略している。
【００２５】
また、自由端の外表面には複数の段部が形成されている。パネル係止部１３は、係止片１３Ａを撓ませた状態で段部を取付孔の周面に当接させることにより、ロッカスイッチ２を固定させる。
【００２６】
側面１０Ｄには、係止片１３Ａの対がそれぞれ形成されている。係止片１３Ａの対は、底面１０Ｅから開口面１０Ａへ延びる中心線Ｃに対して対称をなす。また、ハウジング１０の材質は、絶縁性を有するものであれば、特に限定されるものではなく、たとえば公知な樹脂材料であってもよい。さらに、ハウジング１０の形状も特に限定されず、立方体状や円柱状であってもよい。また、開口部１１の形状も特に限定されず、矩形状であってもよく、円状や、楕円状等であってもよい。
【００２７】
次に接触端子５０、固定接点６０および共通端子７０について説明する。接触端子５０は、一方を底面１０Ｅから露出させ他方を底１１Ａから露出させている。固定接点６０は接触端子５０を介して底１１Ａ上に配置される。共通端子７０は、一方を底面１０Ｅから露出させ他方を壁１１Ｃから軸Ｂ側へ露出させている。
【００２８】
接触端子５０および共通端子７０は、底面１０Ｅに対して平行に折り曲げられ、パネル面下の高さを抑えている。また、接触端子５０と共通端子７０とは軸Ｂ方向にオフセットして配置されている。なお、接触端子５０および共通端子７０の材質は、導電性を有すものであれば特に限定されず、公知な金属材料であってもよい。
【００２９】
次に可動接片８０および可動接点９０について説明する。可動接片８０は滑動棒４０が当接する一端部８１、可動接点９０が固定される他端部８２、一端部８１と他端部８２を連結する中間部８３からなる。なお、可動接点９０の材質は、可撓性を有し且つ導電性を有するものであれば、特に限定されず、例えば公知な金属材料であってもよい。そして、固定接点６０および可動接点９０の各材質も特に限定されず、公知な接点材料でよい。
【００３０】
中間部８３は軸Ｂの方向に延びている。一端部８１および他端部８２は、軸Ｂと直交する平面に対して並行であり且つ互いに交差する方向に延びている。そして、一端部８１は中央近傍で共通端子７０に係止されている。可動接片８０は、この係止部分を回動中心とする軸Ｂと平行な軸Ａの回りでシーソー動作が可能である。
【００３１】
次に転換子２０、バネ３０および滑動棒４０について説明する。転換子２０は、側面１０Ｂと対向する転換子側面に形成された突起２１を挿入孔１０Ｃに挿入させることにより、軸Ｂの回りに揺動自在である。なお、転換子２０は特許請求の範囲の「揺動部」、滑動棒４０は特許請求の範囲の「滑動部」に相当するものである。
【００３２】
また、転換子２０には、略矩形状の切欠部２２、切欠部２２内に開口する有底孔２３および収容孔２４が形成されている。有底孔２３は軸Ｂと直交する方向に形成されている。収容孔２４は、開口１１Bの側の転換子表面２０Aと底１１Aの側の転換子裏面２０Ｂとを貫通する。また、転換子２０の材質は、特に限定されず、公知な樹脂、金属または非金属であってもよい。
【００３３】
バネ３０および滑動棒４０は有底孔２３にそれぞれ収容される。また、滑動棒４０は、その基端部４１が有底孔２３内でバネ３０を撓ませ、且つその先端部４２を切欠部２２内に突出させた状態で転換子２０に支持されている。バネ３０は公知なバネ材からなる。滑動棒４０の材質は、剛性を有するものであれば特に限定されず、たとえば金属材料、非金属材料、樹脂材料であることが望ましい。なお、「滑動部」は滑動棒４０のような棒状に限定されるものではない。
【００３４】
転換子２０は、バネ３０により滑動棒４０を可動接片８０上に常時付勢した状態で揺動する。また、滑動棒４０は、転換子２０の揺動に伴い先端部４２が一端部８１上を往復するように、可動接片８０上を滑動するまた、可動接片８０は、先端部４２が共通端子７０の係止部分を越える度に、軸Ｂの回りに回動するシーソー動作を行う。
【００３５】
次にボタン１００について説明する。ボタン１００は転換子２０を収容保持する凹部１０１を有する。ボタン１００は軸Ｂを挟む２つの操作面１０２、１０３を有している。ユーザは、操作面１０２、１０３のいずれか一方を押圧することより、転換子２０を軸Ｂの回りに揺動させて固定接点６０と可動接点９０とを接触または開離させる。なお、転換子２０とボタン１００とは一体部品として形勢してもよい。なお、ボタン１００の材質は、特に限定されず、公知な樹脂、金属または非金属であってもよい。
【００３６】
次にロッカスイッチ２の作用について説明する。図７はロッカスイッチ２の作用を示す断面図である。図７の上図が離間状態、下図が接触状態を示す。滑動棒４０は、図７に示すように、先端部４２の固定接点６０からの高さが基端部４１の固定接点６０からの高さよりも高くなる上傾斜姿勢（図７の下図）と先端部４２の固定接点６０からの高さが基端部４１の固定接点の高さよりも低くなる下傾斜姿勢（図７の下図）とを交互に繰り返すように、可動接片８０上を滑動する。
【００３７】
スイッチ構造１は、図７に示すように、滑動棒４０が上方姿勢となるとき固定接点６０と可動接点９０とが開離し、滑動棒４０が下方姿勢となるとき固定接点６０と可動接点９０とが接触する。
【００３８】
以上に説明した通り、本実施形態によれば、滑動棒４０は、上傾斜姿勢または下傾斜姿勢を交互に繰り返すように、可動接片８０上を滑動するため、滑動中の滑動棒４０が可動接片８０上で起立する姿勢となさず、ロッカスイッチ２は低背となる。
【００３９】
また、本実施形態によれば、滑動棒４０と可動接点９０とは軸Ｂ方向にオフセットしているため、滑動棒４０の可動する領域と可動接点９０との可動する領域とが重複するため、その分ロッカスイッチ２は低背になる。
【００４０】
また、本実施形態によれば、転換子２０は先端部４２が切欠部２２内に収まるように支持するため、滑動棒４０の可動する領域が転換子２０の可動する領域内に含まれ、その分ロッカスイッチ２は低背になる。
【００４１】
また、本実施形態によれば、固定接点６０から離間した可動接点９０を収容孔２４に収容するため、可動接点９０の可動する領域の少なくとも一部が転換子２０の可動する領域に含まれ、その分ロッカスイッチ２は低背になる。
【００４２】
また、本実施形態は、本発明をロッカスイッチに適用して説明したが、揺動自在な滑動部が可動接片上を滑動することにより、可動接点と固定接点とを接触または開離させるスイッチであればよく、たとえばトグルスイッチ、レバースイッチ、スライドスイッチ等にも適用できる。このように、本発明は、以上に説明した実施形態に限定されるものではなく、本発明の趣旨を逸脱しない限り適宜変更することができる。
【符号の説明】
【００４３】
Ａ    軸（回動軸）
Ｂ    軸（揺動軸）
Ｈ１  先端部の高さ
Ｈ２  基端部の高さ
１    スイッチ構造
２    ロッカスイッチ
２０  転換子（揺動部）
２２  切欠部
２４  収容孔（収容部）
４０  滑動部（滑動棒）
４１  基端部
４２  先端部
６０  固定接点
８０  可動接片
９０  可動接点
【図１】
2018125205.tif 000003
【図２】
2018125205.tif 000004
【図３】
2018125205.tif 000005
【図４】
2018125205.tif 000006
【図５】
2018125205.tif 000007
【図６】
2018125205.tif 000008
【図７】
2018125205.tif 000009